(57)【要約】【課題】本発明は、極めて商品価値の高い画期的な引き出し式収納ケースを提供することを目的とする。【解決手段】収納本体１に対して引出体２を出し入れ自在に設けた引き出し式収納ケースであって、前記収納本体１に対する前記引出体２の出し入れに際して前記収納本体１若しくは前記引出体２に設けられた被転動部３を転動する転動部４が前記引出体２若しくは前記収納本体１に設けられ、前記転動部４は、前記収納本体１若しくは前記引出体２に設けられた取付貫通孔部５に貫通させて取り付けられる軸状部６にローラー部７が設けられた構成であり、前記取付貫通孔部５には、前記挿入側開口部５ａから挿入された前記軸状部６の先端係止部８が、貫通側開口部５ｂから圧入貫通突出することで抜け止め係止する当該先端係止部８より径小な抜け止め係止部９が設けられたものである。【選択図】図２
2018139729.tif 000002
【特許請求の範囲】
【請求項１】
収納本体に対して引出体を出し入れ自在に設けた引き出し式収納ケースであって、前記収納本体に対する前記引出体の出し入れに際して前記収納本体若しくは前記引出体に設けられた被転動部を転動する転動部が前記引出体若しくは前記収納本体に設けられ、前記転動部は、前記収納本体若しくは前記引出体に設けられた取付貫通孔部に貫通させて取り付けられる軸状部にローラー部が設けられた構成であり、前記取付貫通孔部には、前記挿入側開口部から挿入された前記軸状部の先端係止部が、貫通側開口部から圧入貫通突出することで抜け止め係止する当該先端係止部より径小な抜け止め係止部が設けられていることを特徴とする引き出し式収納ケース。
【請求項２】
前記抜け止め係止部は、前記取付貫通孔部の貫通側開口部に孔内方へ向けて突出する環状の突状部を設けて、前記先端係止部より径小な圧入貫通孔部により構成されていることを特徴とする請求項１記載の引き出し式収納ケース。
【請求項３】
前記抜け止め係止部には、前記挿入側開口部の側から前記貫通側開口部の側へ向けて巾狭となるテーパー形状部が設けられていることを特徴とする請求項１，２のいずれか１項に記載の引き出し式収納ケース。
【請求項４】
前記軸状部の先端係止部は、前記軸状部の先端から基端側所定位置に段差部を凹設して構成されていることを特徴とする請求項１〜３のいずれか１項に記載の引き出し式収納ケース。
【請求項５】
前記軸状部の端部には、前記ローラー部が一体成形されており、前記軸状部は前記取付貫通孔部に回転自在に軸受けされていることを特徴とする請求項１〜４のいずれか１項に記載の引き出し式収納ケース。
【請求項６】
前記軸状部の先端部には、前記先端係止部が一体成形されていることを特徴とする請求項１〜５のいずれか１項に記載の引き出し式収納ケース。
【請求項７】
前記取付貫通孔部は合成樹脂製であることを特徴とする請求項１〜６のいずれか１項に記載の引き出し式収納ケース。
【請求項８】
前記軸状部は合成樹脂製であることを特徴とする請求項１〜７のいずれか１項に記載の引き出し式収納ケース。
【請求項９】
前記引出体の後方部にして左右側面部に前記転動部が設けられ、この転動部が転動する被転動部が前記収納本体の左右側面部に設けられ、前記収納本体の前方部にして左右側面部に転動部が設けられ、この転動部が転動する被転動部が前記引出体の左右側面部に設けられて、前記収納本体に対する前記引出体の出し入れに際して前記転動部が前記被転動部を転動するように構成されていることを特徴とする請求項１〜８のいずれか１項に記載の引き出し式収納ケース。
【発明の詳細な説明】
【技術分野】
【０００１】
本発明は、例えば衣服を収納する収納ケースやタンスなどの引き出し式収納ケースに関するものである。
【背景技術】
【０００２】
本出願人は、収納本体に対して引出体を出し入れ自在に設けた引き出し式収納ケースとして、例えば特許第５０１０６９６号に開示される収納装置（以下、従来例）を提案している。
【０００３】
この従来例は、合成樹脂からなる収納本体と、この収納本体の空間部に引き出し自在に組み付けられる引出体とを有するもので、引出体の後端部にして左右側面部にローラー部を設け、このローラー部が転動するレール部を収納本体の左右側面部に設け、収納本体の前端部にして左右側面部にローラー部を設け、このローラー部が転動するレール部を引出体の左右側面部に設けて、収納本体に対する引出体の出し入れに際してローラー部がレール部を転動するように構成したものである。
【０００４】
従って、従来例は、収納本体に対して引出体を出し入れする際に合成樹脂同士が面接触しながら摺動する構造に比し、ローラー部による転動によって摩擦抵抗の少ない引出体の出し入れが行われる為、引出体のスムーズな出し入れが行われる。
【先行技術文献】
【特許文献】
【０００５】
【特許文献１】特許第５０１０６９６号公報
【発明の概要】
【発明が解決しようとする課題】
【０００６】
本発明者は、前述した引出体のスムーズな出し入れを達成するローラー部を備えた引き出し式収納ケースについて更なる開発を進めた結果、極めて商品価値の高い画期的な引き出し式収納ケースを開発した。
【課題を解決するための手段】
【０００７】
添付図面を参照して本発明の要旨を説明する。
【０００８】
収納本体１に対して引出体２を出し入れ自在に設けた引き出し式収納ケースであって、前記収納本体１に対する前記引出体２の出し入れに際して前記収納本体１若しくは前記引出体２に設けられた被転動部３を転動する転動部４が前記引出体２若しくは前記収納本体１に設けられ、前記転動部４は、前記収納本体１若しくは前記引出体２に設けられた取付貫通孔部５に貫通させて取り付けられる軸状部６にローラー部７が設けられた構成であり、前記取付貫通孔部５には、前記挿入側開口部５ａから挿入された前記軸状部６の先端係止部８が、貫通側開口部５ｂから圧入貫通突出することで抜け止め係止する当該先端係止部８より径小な抜け止め係止部９が設けられていることを特徴とする引き出し式収納ケースに係るものである。
【０００９】
また、前記抜け止め係止部９は、前記取付貫通孔部５の貫通側開口部５ｂに孔内方へ向けて突出する環状の突状部を設けて、前記先端係止部８より径小な圧入貫通孔部により構成されていることを特徴とする請求項１記載の引き出し式収納ケースに係るものである。
【００１０】
また、前記抜け止め係止部９には、前記挿入側開口部５ａの側から前記貫通側開口部５ｂの側へ向けて巾狭となるテーパー形状部９ａが設けられていることを特徴とする請求項１，２のいずれか１項に記載の引き出し式収納ケースに係るものである。
【００１１】
また、前記軸状部６の先端係止部８は、前記軸状部６の先端から基端側所定位置に段差部８ａを凹設して構成されていることを特徴とする請求項１〜３のいずれか１項に記載の引き出し式収納ケースに係るものである。
【００１２】
また、前記軸状部６の端部には、前記ローラー部７が一体成形されており、前記軸状部６は前記取付貫通孔部５に回転自在に軸受けされていることを特徴とする請求項１〜４のいずれか１項に記載の引き出し式収納ケースに係るものである。
【００１３】
また、前記軸状部６の先端部には、前記先端係止部８が一体成形されていることを特徴とする請求項１〜５のいずれか１項に記載の引き出し式収納ケースに係るものである。
【００１４】
また、前記取付貫通孔部５は合成樹脂製であることを特徴とする請求項１〜６のいずれか１項に記載の引き出し式収納ケースに係るものである。
【００１５】
また、前記軸状部６は合成樹脂製であることを特徴とする請求項１〜７のいずれか１項に記載の引き出し式収納ケースに係るものである。
【００１６】
また、前記引出体２の後方部にして左右側面部に前記転動部４が設けられ、この転動部４が転動する被転動部３が前記収納本体１の左右側面部に設けられ、前記収納本体１の前方部にして左右側面部に転動部４が設けられ、この転動部４が転動する被転動部３が前記引出体２の左右側面部に設けられて、前記収納本体１に対する前記引出体２の出し入れに際して前記転動部４が前記被転動部３を転動するように構成されていることを特徴とする請求項１〜８のいずれか１項に記載の引き出し式収納ケースに係るものである。
【発明の効果】
【００１７】
本発明は上述のように構成したから、転動部の構築が簡易に行え、しかも、簡易構造故にコスト安にして量産性に優れることになるなど、極めて商品価値の高い画期的な引き出し式収納ケースとなる。
【図面の簡単な説明】
【００１８】
【図１】本実施例を示す斜視図である。
【図２】本実施例を示す分解斜視図である。
【図３】本実施例の要部を示す分解斜視図である。
【図４】本実施例の要部を示す分解斜視図である。
【図５】本実施例の要部を示す説明断面図である。
【図６】本実施例の要部を示す説明断面図である。
【発明を実施するための形態】
【００１９】
好適と考える本発明の実施形態（発明をどのように実施するか）を、図面に基づいて本発明の作用を示して簡単に説明する。
【００２０】
例えば収納本体１若しくは引出体２に転動部４を構築するに際し、軸状部６を取付貫通孔部５の挿入側開口部５ａから挿入すると、この取付貫通孔部５の挿入側開口部５ａから挿入された軸状部６の先端係止部８が、貫通側開口部５ｂから圧入貫通突出することで、当該先端係止部８より径小な抜け止め係止部９に抜け止め係止する。
【００２１】
従って、取付貫通孔部５に軸状部６を挿入するだけで転動部４の構築が簡易に行えることになり、しかも、簡易構造故にコスト安にして量産性に優れることになる。
【実施例】
【００２２】
本発明の具体的な実施例について図面に基づいて説明する。
【００２３】
本実施例は、収納本体１に対して引出体２を出し入れ自在に設けた引き出し式収納ケースであって、収納本体１に対する引出体２の出し入れに際して収納本体１若しくは引出体２に設けられた被転動部３を転動する転動部４が引出体２若しくは収納本体１に設けられたものである。
【００２４】
尚、本実施例では、衣服を収納する収納ケースを採用したが、例えばタンスや机の引出構造でも良いなど本実施例の特性を発揮する構成であれば適宜採用し得るものである。
【００２５】
以下、本実施例に係る構成各部について詳細な説明をする。
【００２６】
収納本体１は、図１，２に図示したように適宜な合成樹脂製の部材で成形したものであり、底面部１ａと、該底面部１ａの左右位置に立設する側面部１ｂと、該底面部１ａの背面位置に立設する背面部１ｃと、この左右の側面部１ｂ及び背面部１ｃの上端部間に設けられる天面部１ｄとを有し、正面開口部から後述する引出体２を出し入れ自在に差し込み収納し得るように構成されている。尚、本実施例では、収納本体１に一つの引出体２を差し込み収納し得るように構成されているが、一つの収納本体に引出体２を差し込み収納し得る部位を上下方向に複数段設けた構成でも良い。
【００２７】
また、収納本体１の左右の側面部１ｂには、後述する引出体２の転動部４が転動する被転動部３が設けられている。
【００２８】
この被転動部３は、図２に図示したように収納本体１の左右の側面部１ｂの内面下方部位に断面コ字状のレール部材３’を取り付けて構成され、具体的には、このレール部材３’は、上下に間隔を介して対向配設され引出体２の出し入れ方向に長さを有する一対の凸条部３ａを有し、収納本体１に対して引出体２を出し入れする際、この被転動部３（上下の凸条部３ａ間）を後述する引出体２の転動部４（ローラー部７）が転動するように構成されている。
【００２９】
また、収納本体１には転動部４が設けられている。
【００３０】
この転動部４は、図２，３，４に図示したように収納本体１の左右の側面部１ａ夫々の内面下方部位にして前方部位に設けられた取付貫通孔部５に貫通させて取り付けられる軸状部６にローラー部７が設けられた構成である。
【００３１】
取付貫通孔部５は、収納本体１に一体成形される所定長の筒状孔であり、この取付貫通孔部５には、挿入側開口部５ａから挿入された軸状部６の先端係止部８が、貫通側開口部５ｂから圧入貫通突出することで抜け止め係止する当該先端係止部８より径小な抜け止め係止部９が設けられている。
【００３２】
この抜け止め係止部９は、取付貫通孔部５の貫通側開口部５ｂ側に孔内方へ向けて突出する環状の突状部を設けて、先端係止部８より径小な圧入貫通孔部により構成されている。
【００３３】
また、抜け止め係止部９には、挿入側開口部５ａの側から貫通側開口部５ｂの側へ向けて巾狭となるテーパー形状部９ａが設けられている。
【００３４】
従って、挿入側開口部５ａから挿入された軸状部６の先端係止部８は、このテーパー形状部９ａに到達すると徐々に強い抵抗（樹脂の弾圧付勢）を受けながら圧入されることになり、貫通側開口部５ｂまで良好に誘導される。
【００３５】
軸状部６は、適宜な合成樹脂製の部材で形成した断面円形の軸状体であり、この軸状部６の基端部には、ローラー部７が一体成形されており、先端部には、先端係止部８が一体成形されている。尚、軸状部６は金属製でも良く、また、軸状部６にローラー部７を回転自在に設けても良い（この場合、軸状部６は取付貫通孔部５に対して軸受状態でなくても良い）。
【００３６】
この軸状部６の先端係止部８は、軸状部６の先端から基端側所定位置に段差部８ａを凹設して（軸状部６の途中部位から先細りテーパー形状を設けて）構成されている。
【００３７】
この先端係止部８の外径は、取付貫通孔部５の抜け止め係止部９（口径）の径よりも径大であり、この抜け止め係止部９以外の部位よりも径小である。
【００３８】
従って、軸状部６の先端係止部８は、取付貫通孔部５の挿入側開口部５ａから挿入した際、抜け止め係止部９に達するまではほとんど抵抗なく挿入することができ、抜け止め係止部９（テーパー形状部９ａ）に達した後は抵抗を受けながら圧入挿入され、挿入側開口部５ａの反対側となる貫通側開口部５ｂから貫通突出することで抜け止め係止部９に対して圧入貫通され、段差部８ａが抜け止め係止部９に係止することで軸状部６は抜け止め係止される。
【００３９】
引出体２は、図１，２に図示したように適宜な合成樹脂製の部材で一体成形したものであり、夫々方形状の正面部２ａ，底面部２ｂ，左右の側面部２ｃ及び背面部２ｄとを有し、方形状の上方開口部を有する箱状体である。
【００４０】
また、引出体２は、枠体１の正面開口部から差し込み収納し得るように構成されており、左右の側面部２ｃには前述した収納本体１の転動部４が転動する被転動部３が設けられている。
【００４１】
この被転動部３は、図２に図示したように引出体２の左右の側面部２ｃの外面下方部位に突出状に一体成形したものであり、引出体２の出し入れ方向に長さを有する凸条部３ａを設けて構成され、収納本体１に対して引出体２を出し入れする際、この被転動部３（凸条部３ａの下面）を前述した収納本体１の転動部４（ローラー部７）が転動するように構成されている。
【００４２】
また、引出体２の左右の側面部２ｃ夫々の後方部位には、前述した収納本体１に設けられた転動部４と同構造の転動部４が設けられている。
【００４３】
具体的には、この転動部４は、図２，５，６に図示したように引出体２の左右の側面部２ｃ夫々の外面下方部位にして後方部位に設けられた取付貫通孔部５に貫通させて取り付けられる軸状部６にローラー部７が設けられた構成である。
【００４４】
取付貫通孔部５は、引出体２に一体成形される所定長の筒状孔であり、この取付貫通孔部５には、挿入側開口部５ａから挿入された軸状部６の先端係止部８が、貫通側開口部５ｂから圧入貫通突出することで抜け止め係止する当該先端係止部８より径小な抜け止め係止部９が設けられている。
【００４５】
この抜け止め係止部９は、取付貫通孔部５の貫通側開口部５ｂ側に孔内方へ向けて突出する環状の突状部を設けて、先端係止部８より径小な圧入貫通孔部により構成されている。
【００４６】
また、抜け止め係止部９には、挿入側開口部５ａの側から貫通側開口部５ｂの側へ向けて巾狭となるテーパー形状部９ａが設けられている。
【００４７】
従って、挿入側開口部５ａから挿入された軸状部６の先端係止部８は、このテーパー形状部９ａに到達すると徐々に強い抵抗（樹脂の弾圧付勢）を受けながら圧入されることになり、貫通側開口部５ｂまで良好に誘導される。
【００４８】
軸状部６は、適宜な合成樹脂製の部材で形成した断面円形の軸状体であり、この軸状部６の基端部には、ローラー部７が一体成形されており、先端部には、先端係止部８が一体成形されている。尚、軸状部６は金属製でも良く、また、軸状部６にローラー部７を回転自在に設けても良い（この場合、軸状部６は取付貫通孔部５に対して軸受状態でなくても良い）。
【００４９】
この軸状部６の先端係止部８は、軸状部６の先端から基端側所定位置に段差部８ａを凹設して（軸状部６の途中部位から先細りテーパー形状を設けて）構成されている。
【００５０】
この先端係止部８の外径は、取付貫通孔部５の抜け止め係止部９（口径）の径よりも径大であり、この抜け止め係止部９以外の部位よりも径小である。
【００５１】
従って、軸状部６の先端係止部８は、取付貫通孔部５の挿入側開口部５ａから挿入した際、抜け止め係止部９に達するまではほとんど抵抗なく挿入することができ、抜け止め係止部９（テーパー形状部９ａ）に達した後は抵抗を受けながら圧入挿入され、挿入側開口部５ａの反対側となる貫通側開口部５ｂから貫通突出することで抜け止め係止部９に対して圧入貫通され、段差部８ａが抜け止め係止部９に係止することで軸状部６は抜け止め係止される。
【００５２】
尚、本実施例では、収納本体１に対する引出体２の出し入れに際して収納本体１及び引出体２の双方に設けられた被転動部３を転動する転動部４が引出体２及び収納本体１の双方に設けられた構成としているが、収納本体１に対する引出体２の出し入れに際して収納本体１若しくは引出体２のいずれか一方に設けられた被転動部３を転動する転動部４が引出体２若しくは収納本体１に設けられた構成としても良い。
【００５３】
本実施例は上述のように構成したから、例えば収納本体１若しくは引出体２に転動部４を構築するに際し、軸状部６を取付貫通孔部５の挿入側開口部５ａから挿入すると、この取付貫通孔部５の挿入側開口部５ａから挿入された軸状部６の先端係止部８が、貫通側開口部５ｂから圧入貫通突出することで、当該先端係止部８より径小な抜け止め係止部９に抜け止め係止する。
【００５４】
よって、本実施例によれば、取付貫通孔部５に軸状部６を挿入するだけで転動部４の構築が簡易に行えることになり、しかも、簡易構造故にコスト安にして量産性に優れることになる。
【００５５】
また、本実施例は、抜け止め係止部９は、取付貫通孔部５の貫通側開口部５ｂ側に孔内方へ向けて突出する環状の突状部を設けて、先端係止部８より径小な圧入貫通孔部により構成されているから、取付貫通孔部５に対する軸状部６の挿入動作の最後に抵抗がかかるだけであるから、転動部４の構築がそれ程力を要せずとも簡易に行える。
【００５６】
また、本実施例は、抜け止め係止部９には、挿入側開口部５ａの側から貫通側開口部５ｂの側へ向けて巾狭となるテーパー形状部９ａが設けられているから、先端係止部８を円滑に圧入貫通させることができる。
【００５７】
また、本実施例は、軸状部６の先端係止部８は、軸状部６の先端から基端側所定位置に段差部８ａを凹設して構成されているから、前述した作用効果を簡易且つ確実に発揮させることができる。
【００５８】
また、本実施例は、軸状部６の一端部には、ローラー部７が一体成形されており、軸状部６は取付貫通孔部５に回転自在に軸受けされているから、前述した作用効果を簡易且つ確実に発揮させることができ、しかも、簡易構造故にコスト安にして量産性に優れることになる。
【００５９】
また、本実施例は、軸状部６の先端部には、先端係止部８が一体成形されているから、簡易構造故にコスト安にして量産性に優れることになる。
【００６０】
また、本実施例は、取付貫通孔部５及び軸状部６は合成樹脂製であるから、コスト安となる。
【００６１】
また、本実施例は、引出体２の後方部にして左右側面部に転動部４が設けられ、この転動部４が転動する被転動部３が収納本体１の左右側面部に設けられ、収納本体１の前方部にして左右側面部に転動部４が設けられ、この転動部４が転動する被転動部３が引出体２の左右側面部に設けられて、収納本体１に対する引出体２の出し入れに際して転動部４が被転動部３を転動するように構成されているから、収納本体１に対する引出体２の円滑な出し入れが確実に達成されることになる。
【００６２】
尚、本発明は、本実施例に限られるものではなく、各構成要件の具体的構成は適宜設計し得るものである。
【符号の説明】
【００６３】
１  収納本体
２  引出体
３  被転動部
４  転動部
５  取付貫通孔部
５ａ  挿入側開口部
５ｂ  貫通側開口部
６  軸状部
７  ローラー部
８  先端係止部
８ａ  段差部
９  抜け止め係止部
９ａ  テーパー形状部
【図１】
2018139729.tif 000003
【図２】
2018139729.tif 000004
【図３】
2018139729.tif 000005
【図４】
2018139729.tif 000006
【図５】
2018139729.tif 000007
【図６】
2018139729.tif 000008